【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
セルラーネットワークにおいてサービスをブロードキャストするための方法であって、
サーバにおいて、2つ以上のデータストリームを含むサービスの第1のデータストリームが、第1のファイルデリバリオーバーユニディレクショナルトランスポート(「FLUTE」)セッションにおいてブロードキャストされるようにスケジューリングされ、前記サービスの第2のデータストリームが第2のFLUTEセッションにおいてブロードキャストされるようにスケジューリングされるように、前記サービスに関するスケジュールを生成するステップと、
前記サーバにおいて、前記サービスに関連するダイアリーファイルを生成するステップであって、前記ダイアリーファイルが、前記サービス、前記第1のFLUTEセッションおよび前記第1のデータストリーム中のデータのタイプ、前記第2のFLUTEセッションおよび前記第2のデータストリーム中のデータのタイプ、ならびに前記第1のFLUTEセッションおよび前記第2のFLUTEセッションに関するセッション記述の表示を含むステップと、
前記サーバにおいて、前記サービスの前記2つ以上のデータストリームのうちの1つのデータストリームを前記サービスのメインコンポーネントとして識別するステップと、
前記サーバにおいて、前記サービスに関連する更新フラグメントを運搬するサービスのメインコンポーネントとして識別された、前記サービスの2つ以上のデータストリームのうちの少なくとも1つに関連するFLUTEセッションを示す前記ダイアリーファイル内のフラグをセットするステップと、
前記ダイアリーファイルを前記サーバから受信機デバイスに送るステップと、
前記セルラーネットワークにおいて前記スケジュールに従って前記サービスを前記第1のFLUTEセッションおよび前記第2のFLUTEセッションにおいてブロードキャストするステップと、
前記サービスのメインコンポーネントとして識別された前記2つ以上のデータストリームのうち前記少なくとも1つに関連する前記FLUTEセッションにおいてのみ、前記サービスに関連する前記更新フラグメントをブロードキャストするステップと、
を含む方法。
【請求項２】
前記ダイアリーファイルはサービス告知であり、
前記第1のFLUTEセッションおよび前記第2のFLUTEセッションに関する前記セッション記述は、
前記第1のFLUTEセッションに関連し、前記第1のデータストリーム中のデータの前記タイプを示す第1のセッション記述と、
前記第2のFLUTEセッションに関連し、前記第2のデータストリーム中のデータの前記タイプを示す第2のセッション記述とを含む、請求項1に記載の方法。
【請求項３】
前記第1のデータストリーム中のデータの前記タイプは、前記第1のセッション記述中の第1のカテゴリー属性によって示され、前記第2のデータストリーム中のデータの前記タイプは、前記第2のセッション記述中の第2のカテゴリー属性によって示される、請求項2に記載の方法。
【請求項４】
前記ダイアリーファイルは、前記第1のFLUTEセッションおよび前記第2のFLUTEセッションに関するトランスポートスケジュール情報を有するサービススケジュールフラグメントを含み、
前記第1のFLUTEセッションおよび前記第2のFLUTEセッションに関する前記セッション記述は、前記第1のFLUTEセッションまたは前記第2のFLUTEセッションのいずれかでの送信を記述した前記トランスポートスケジュール情報のコンポーネントを識別する、請求項2に記載の方法。
【請求項５】
前記第1のデータストリーム中のデータの前記タイプは、前記サービススケジュールフラグメントに示された第1のカテゴリー属性によって示され、前記第2のデータストリーム中のデータの前記タイプは、前記サービススケジュールフラグメントに示された第2のカテゴリー属性によって示される、請求項4に記載の方法。
【請求項６】
前記第1のカテゴリー属性および前記第2のカテゴリー属性は、それぞれ前記第1のセッション記述および前記第2のセッション記述に含まれ、前記第1のカテゴリー属性および第2のカテゴリー属性は、前記第1のセッション記述および前記第2のセッション記述によって参照されるサービス発見ファイルに含まれ、または前記第1のカテゴリー属性および前記第2のカテゴリー属性は、前記第1のセッション記述および前記第2のセッション記述によって参照されるフィルタフラグメント中のフィルタリング規則にに含まれる、請求項5に記載の方法。
【請求項７】
前記第1のFLUTEセッションおよび前記第2のFLUTEセッションに関する前記セッション記述は、
前記第1のFLUTEセッションに関連する第1のセッション記述ユニフォームリソース識別子(「URI」)、第1の送信元インターネットプロトコル(「IP」)アドレス、または第1のトランスポートセッション識別子(「TSI」)の表示と、
前記第2のFLUTEセッションに関連する第2のセッション記述URI、第2の送信元IPアドレス、または第2のTSIの表示とを含む、請求項4に記載の方法。
【請求項８】
前記サーバにおいて、前記サービスの前記第1のデータストリームと前記サービスの前記第2のデータストリームが同じ構成パラメータを必要とするかどうかを判定するステップと、
前記サーバにおいて、前記サービスの前記第1のデータストリームと前記サービスの前記第2のデータストリームが同じ構成パラメータを必要とすると判定したことに応答して、前記サービスの前記第1のデータストリームと前記サービスの前記第2のデータストリームの両方に関する構成パラメータの共通のリストを生成するステップと、
前記サーバにおいて、前記サービスの前記第1のデータストリームと前記サービスの前記第2のデータストリームが異なる構成パラメータを必要とすると判定したことに応答して、前記サービスの前記第1のデータストリームに関する構成パラメータの第1のリストおよび前記サービスの前記第2のデータストリームに関する構成パラメータの第2のリストを生成するステップとをさらに含む、請求項1に記載の方法。
【請求項９】
前記サーバにおいて、前記サービスに関連するダイアリーファイルを生成するステップは、前記サーバにおいて、構成パラメータの前記共通のリストまたは構成パラメータの前記第1および第2のリストを組み込んだ、前記サービスに関連するダイアリーファイルを生成するステップを含む、請求項8に記載の方法。
【請求項１０】
構成パラメータの前記共通のリスト、構成パラメータの前記第1のリスト、および構成パラメータの前記第2のリストの各々は、関連配信プロシージャ記述フラグメントである、請求項8に記載の方法。
【請求項１１】
前記サービスの各々のそれぞれのFLUTEセッションにおいて前記サービスの各々のそれぞれのFLUTEセッションに関連するセッション固有の更新メタデータフラグメントをブロードキャストするステップをさらに含む、請求項1に記載の方法。
【請求項１２】
前記サーバにおいて、前記サービスの前記2つ以上のデータストリームのうちの少なくとも1つのデータストリームを前記サービスのメインコンポーネントとして識別するステップは、前記サーバにおいて、前記サービスの前記第1のデータストリームを前記サービスのメインコンポーネントとして識別するステップを含み、
前記更新フラグメントは前記サービスの前記第2のデータストリームに関連付けられる、請求項1に記載の方法。
【請求項１３】
前記ダイアリーファイルはユーザサービス記述であり、前記更新フラグメントは、関連配信プロシージャ記述フラグメント、スケジュールフラグメント、またはメディアプレゼンテーション記述フラグメントである、請求項1に記載の方法。
【請求項１４】
前記セルラーネットワークは、第3世代パートナーシッププロジェクト(「3GPP」)技術標準(「TS」)に従って確立される、請求項1に記載の方法。
【請求項１５】
セルラーネットワークにおいてサービスをブロードキャストするための方法であって、
サーバにおいて、2つ以上のデータストリームを含むサービスの第1のデータストリームが、第1のファイルデリバリオーバーユニディレクショナルトランスポート(「FLUTE」)セッションにおいてブロードキャストされるようにスケジューリングされ、前記サービスの第2のデータストリームが第2のFLUTEセッションにおいてブロードキャストされるようにスケジューリングされるように、前記サービスに関するスケジュールを生成するステップと、
前記サーバにおいて、前記サービスに関連するダイアリーファイルを生成するステップであって、前記ダイアリーファイルが、前記サービス、前記第1のFLUTEセッションおよび前記第1のデータストリーム中のデータのタイプ、前記第2のFLUTEセッションおよび前記第2のデータストリーム中のデータのタイプ、ならびに前記第1のFLUTEセッションおよび前記第2のFLUTEセッションに関するセッション記述の表示を含むステップと、
前記ダイアリーファイルを前記サーバから受信機デバイスに送るステップと、
前記セルラーネットワークにおいて前記スケジュールに従って前記サービスを前記第1のFLUTEセッションおよび前記第2のFLUTEセッションにおいてブロードキャストするステップと、
前記サーバにおいて、前記サービスの前記2つ以上のデータストリームのうちの何れかを前記サービスのメインコンポーネントとして識別するステップと、
前記サービスのメインコンポーネントとして識別された前記サービスの2つ以上のデータストリームのうち何れかに関連する前記FLUTEセッションにおいて、前記サービスに関連する更新メタデータフラグメントをブロードキャストするステップと、
を含む方法。
【請求項１６】
ネットワークインターフェースと、
前記ネットワークインターフェースに接続されたプロセッサであって、動作を実行するためのプロセッサ実行可能命令を有するように構成されたプロセッサとを備え、前記動作が、
2つ以上のデータストリームを含むサービスの第1のデータストリームが、第1のファイルデリバリオーバーユニディレクショナルトランスポート(「FLUTE」)セッションにおいてブロードキャストされるようにスケジューリングされ、前記サービスの第2のデータストリームが第2のFLUTEセッションにおいてブロードキャストされるようにスケジューリングされるように、前記サービスに関するスケジュールを生成するステップと、
前記サービスに関連するダイアリーファイルを生成するステップであって、前記ダイアリーファイルが、前記サービス、前記第1のFLUTEセッションおよび前記第1のデータストリーム中のデータのタイプ、前記第2のFLUTEセッションおよび前記第2のデータストリーム中のデータのタイプ、ならびに前記第1のFLUTEセッションおよび前記第2のFLUTEセッションに関するセッション記述の表示を含むステップと、
前記サービスの前記2つ以上のデータストリームのうちの1つのデータストリームを前記サービスのメインコンポーネントとして識別するステップと、
前記サービスに関連する更新フラグメントを運搬するサービスの前記メインコンポーネントとして識別された、前記サービスの2つ以上のデータストリームのうちの少なくとも1つに関連するFLUTEセッションを示す前記ダイアリーファイル内のフラグをセットするステップと、
前記ネットワークインターフェースを介して前記ダイアリーファイルを前記サーバから受信機デバイスに送るステップと、
前記ネットワークインターフェースを介してセルラーネットワークにおいて前記スケジュールに従って前記サービスを前記第1のFLUTEセッションおよび前記第2のFLUTEセッションにおいてブロードキャストするステップと、
前記ネットワークインターフェースを介して前記サービスのメインコンポーネントとして識別された前記2つ以上のデータストリームのうち前記少なくとも1つに関連する前記FLUTEセッションにおいてのみ、前記サービスに関連する前記更新フラグメントをブロードキャストするステップと、
を含むサーバ。
【請求項１７】
前記ダイアリーファイルはサービス告知であり、
前記第1のFLUTEセッションおよび前記第2のFLUTEセッションに関する前記セッション記述は、
前記第1のFLUTEセッションに関連し、前記第1のデータストリーム中のデータの前記タイプを示す第1のセッション記述と、
前記第2のFLUTEセッションに関連し、前記第2のデータストリーム中のデータの前記タイプを示す第2のセッション記述とを含む、請求項16に記載のサーバ。
【請求項１８】
前記第1のデータストリーム中のデータの前記タイプは、前記第1のセッション記述中の第1のカテゴリー属性によって示され、前記第2のデータストリーム中のデータの前記タイプは、前記第2のセッション記述中の第2のカテゴリー属性によって示される、請求項17に記載のサーバ。
【請求項１９】
前記ダイアリーファイルは、前記第1のFLUTEセッションおよび前記第2のFLUTEセッションに関するトランスポートスケジュール情報を有するサービススケジュールフラグメントを含み、
前記第1のFLUTEセッションおよび前記第2のFLUTEセッションに関する前記セッション記述の前記表示は、前記第1のFLUTEセッションまたは前記第2のFLUTEセッションのいずれかでの送信を記述した前記トランスポートスケジュール情報のコンポーネントを識別する、請求項17に記載のサーバ。
【請求項２０】
前記第1のデータストリーム中のデータの前記タイプは、前記サービススケジュールフラグメントに示された第1のカテゴリー属性によって示され、前記第2のデータストリーム中のデータの前記タイプは、前記サービススケジュールフラグメントに示された第2のカテゴリー属性によって示される、請求項19に記載のサーバ。
【請求項２１】
前記第1のカテゴリー属性および前記第2のカテゴリー属性は、それぞれ前記第1のセッション記述および前記第2のセッション記述に含まれ、前記第1のカテゴリー属性および前記第2のカテゴリー属性は、前記第1のセッション記述および前記第2のセッション記述によって参照されるサービス発見ファイルに含まれ、または前記第1のカテゴリー属性および前記第2のカテゴリー属性は、前記第1のセッション記述および前記第2のセッション記述によって参照されるフィルタフラグメント中のフィルタリング規則に含まれる、請求項20に記載のサーバ。
【請求項２２】
前記第1のFLUTEセッションおよび前記第2のFLUTEセッションに関する前記セッション記述は、
前記第1のFLUTEセッションに関連する第1のセッション記述ユニフォームリソース識別子(「URI」)、第1の送信元インターネットプロトコル(「IP」)アドレス、または第1のトランスポートセッション識別子(「TSI」)の表示と、
前記第2のFLUTEセッションに関連する第2のセッション記述URI、第2の送信元IPアドレス、または第2のTSIの表示とを含む、請求項19に記載のサーバ。
【請求項２３】
前記プロセッサは、動作を実行するためのプロセッサ実行可能命令を有するように構成され、前記動作が、
前記サービスの前記第1のデータストリームと前記サービスの前記第2のデータストリームが同じ構成パラメータを必要とするかどうかを判定することと、
前記サービスの前記第1のデータストリームと前記サービスの前記第2のデータストリームが同じ構成パラメータを必要とすると判定したことに応答して、前記サービスの前記第1のデータストリームと前記サービスの前記第2のデータストリームの両方に関する構成パラメータの共通のリストを生成することと、
前記サービスの前記第1のデータストリームと前記サービスの前記第2のデータストリームが異なる構成パラメータを必要とすると判定したことに応答して、前記サービスの前記第1のデータストリームに関する構成パラメータの第1のリストおよび前記サービスの前記第2のデータストリームに関する構成パラメータの第2のリストを生成することとをさらに含む、請求項16に記載のサーバ。
【請求項２４】
前記プロセッサは、前記サービスに関連するダイアリーファイルを生成することが、構成パラメータの前記共通のリストまたは構成パラメータの前記第1および第2のリストを組み込んだ、前記サービスに関連するダイアリーファイルを生成することを含むような動作を実行するためのプロセッサ実行可能命令を有するように構成される、請求項23に記載のサーバ。
【請求項２５】
構成パラメータの前記共通のリスト、構成パラメータの前記第1のリスト、および構成パラメータの前記第2のリストの各々は、関連配信プロシージャ記述フラグメントである、請求項23に記載のサーバ。
【請求項２６】
前記プロセッサは、動作を実行するためのプロセッサ実行可能命令を有するように構成され、前記動作が、
前記サービスの各々のそれぞれのFLUTEセッションにおいて前記サービスの各々のそれぞれのFLUTEセッションに関連するセッション固有の更新メタデータフラグメントを前記ネットワークインターフェースを介してブロードキャストすることをさらに含む、請求項16に記載のサーバ。
【請求項２７】
前記サービスの前記2つ以上のデータストリームのうちの少なくとも1つのデータストリームを前記サービスのメインコンポーネントとして識別するステップは、前記サーバにおいて、前記サービスの前記第1のデータストリームを前記サービスのメインコンポーネントとして識別するステップを含み、
前記更新フラグメントは前記サービスの前記第2のデータストリームに関連付けられる、請求項16に記載のサーバ。
【請求項２８】
前記ダイアリーファイルはユーザサービス記述であり、前記更新フラグメントは、関連配信プロシージャ記述フラグメント、スケジュールフラグメント、またはメディアプレゼンテーション記述フラグメントである、請求項16に記載のサーバ。
【請求項２９】
前記セルラーネットワークは、第3世代パートナーシッププロジェクト(「3GPP」)技術標準(「TS」)に従って確立される、請求項16に記載のサーバ。
【請求項３０】
サーバであって、
ネットワークインターフェースと、
前記ネットワークインターフェースに接続されたプロセッサであって、動作を実行するためのプロセッサ実行可能命令を有するように構成されたプロセッサとを備え、前記動作が、
2つ以上のデータストリームを含むサービスの第1のデータストリームが、第1のファイルデリバリオーバーユニディレクショナルトランスポート(「FLUTE」)セッションにおいてブロードキャストされるようにスケジューリングされ、前記サービスの第2のデータストリームが第2のFLUTEセッションにおいてブロードキャストされるようにスケジューリングされるように、前記サービスに関するスケジュールを生成するステップと、
前記サービスに関連するダイアリーファイルを生成するステップであって、前記ダイアリーファイルが、前記サービス、前記第1のFLUTEセッションおよび前記第1のデータストリーム中のデータのタイプ、前記第2のFLUTEセッションおよび前記第2のデータストリーム中のデータのタイプ、ならびに前記第1のFLUTEセッションおよび前記第2のFLUTEセッションに関するセッション記述の表示を含むステップと、
前記ネットワークインターフェースを介して前記ダイアリーファイルを前記サーバから受信機デバイスに送るステップと、
前記ネットワークインターフェースを介してセルラーネットワークにおいて前記スケジュールに従って前記サービスを前記第1のFLUTEセッションおよび前記第2のFLUTEセッションにおいてブロードキャストするステップと、
前記サービスの前記2つ以上のデータストリームのうちの何れかを前記サービスのメインコンポーネントとして識別するステップと、
前記ネットワークインターフェースを介して前記サービスのメインコンポーネントとして識別された前記サービスの2つ以上のデータストリームのうち何れかに関連する前記FLUTEセッションにおいて、前記サービスに関連する更新メタデータフラグメントをブロードキャストするステップと、
を含むサーバ。
【請求項３１】
プロセッサ実行可能命令を記憶した非一時的プロセッサ可読記憶媒体であって、前記プロセッサ実行可能命令がプロセッサに、
2つ以上のデータストリームを含むサービスの第1のデータストリームが、第1のファイルデリバリオーバーユニディレクショナルトランスポート(「FLUTE」)セッションにおいてブロードキャストされるようにスケジューリングされ、前記サービスの第2のデータストリームが第2のFLUTEセッションにおいてブロードキャストされるようにスケジューリングされるように、前記サービスに関するスケジュールを生成するステップと、
前記サービスに関連するダイアリーファイルを生成するステップであって、前記ダイアリーファイルが、前記サービス、前記第1のFLUTEセッションおよび前記第1のデータストリーム中のデータのタイプ、前記第2のFLUTEセッションおよび前記第2のデータストリーム中のデータのタイプ、ならびに前記第1のFLUTEセッションおよび前記第2のFLUTEセッションに関するセッション記述の表示を含むステップと、
前記サービスの前記2つ以上のデータストリームのうちの1つのデータストリームを前記サービスのメインコンポーネントとして識別するステップと、
前記サービスに関連する更新フラグメントを運搬するサービスのメインコンポーネントとして識別された、前記サービスの2つ以上のデータストリームのうちの少なくとも1つに関連するFLUTEセッションを示す前記ダイアリーファイル内のフラグをセットするステップと、
前記ダイアリーファイルを前記サーバから受信機デバイスに送るステップと、
セルラーネットワークにおいて前記スケジュールに従って前記サービスを前記第1のFLUTEセッションおよび前記第2のFLUTEセッションにおいてブロードキャストするステップと、
前記サービスのメインコンポーネントとして識別された前記2つ以上のデータストリームのうち前記少なくとも1つに関連する前記FLUTEセッションにおいてのみ、前記サービスに関連する前記更新フラグメントをブロードキャストするステップと、
とを含む動作を実行させるように構成される非一時的プロセッサ可読記憶媒体。
【請求項３２】
前記記憶されたプロセッサ実行可能命令が、プロセッサに、
前記ダイアリーファイルがサービス告知であり、
前記第1のFLUTEセッションおよび前記第2のFLUTEセッションに関する前記セッション記述が、
前記第1のFLUTEセッションに関連し、前記第1のデータストリーム中のデータの前記タイプを示す第1のセッション記述と、
前記第2のFLUTEセッションに関連し、前記第2のデータストリーム中のデータの前記タイプを示す第2のセッション記述とを含むような動作を実行させるように構成される、請求項31に記載の非一時的プロセッサ可読記憶媒体。
【請求項３３】
前記記憶されたプロセッサ実行可能命令は、プロセッサに、前記第1のデータストリーム中のデータの前記タイプが、前記第1のセッション記述中の第1のカテゴリー属性によって示され、前記第2のデータストリーム中のデータの前記タイプが、前記第2のセッション記述中の第2のカテゴリー属性によって示されるような動作を実行させるように構成される、請求項32に記載の非一時的プロセッサ可読記憶媒体。
【請求項３４】
前記記憶されたプロセッサ実行可能命令が、プロセッサに、
前記ダイアリーファイルが、前記第1のFLUTEセッションおよび前記第2のFLUTEセッションに関するトランスポートスケジュール情報を有するサービススケジュールフラグメントを含み、
前記第1のFLUTEセッションおよび前記第2のFLUTEセッションに関する前記セッション記述の前記表示は、前記第1のFLUTEセッションまたは前記第2のFLUTEセッションのいずれかでの送信を記述した前記トランスポートスケジュール情報のコンポーネントを識別するような動作を実行させるように構成される、請求項32に記載の非一時的プロセッサ可読記憶媒体。
【請求項３５】
前記記憶されたプロセッサ実行可能命令は、プロセッサに、前記第1のデータストリーム中のデータの前記タイプが、前記サービススケジュールフラグメントにおいて示される第1のカテゴリー属性によって示され、前記第2のデータストリーム中のデータの前記タイプが、前記サービススケジュールフラグメントにおいて示される第2のカテゴリー属性によって示されるような動作を実行させるように構成される、請求項34に記載の非一時的プロセッサ可読記憶媒体。
【請求項３６】
前記記憶されたプロセッサ実行可能命令は、プロセッサに、前記第1のカテゴリー属性および前記第2のカテゴリー属性が、それぞれ前記第1のセッション記述および前記第2のセッション記述においてコード化され、前記第1のカテゴリー属性および第2のカテゴリー属性が、前記第1のセッション記述および前記第2のセッション記述によって参照されるサービス発見ファイルにおいてコード化され、または前記第1のカテゴリー属性および前記第2のカテゴリー属性は、前記第1のセッション記述および前記第2のセッション記述によって参照されるフィルタフラグメント中のフィルタリング規則においてコード化されるような動作を実行させるように構成される、請求項35に記載の非一時的プロセッサ可読記憶媒体。
【請求項３７】
前記記憶されたプロセッサ実行可能命令は、プロセッサに、前記第1のFLUTEセッションおよび前記第2のFLUTEセッションに関する前記セッション記述の前記表示が、
前記第1のFLUTEセッションに関連する第1のセッション記述ユニフォームリソース識別子(「URI」)、第1の送信元インターネットプロトコル(「IP」)アドレス、または第1のトランスポートセッション識別子(「TSI」)の表示と、
前記第2のFLUTEセッションに関連する第2のセッション記述URI、第2の送信元IPアドレス、または第2のTSIの表示とを含むような動作を実行させるように構成される、請求項34に記載の非一時的プロセッサ可読記憶媒体。
【請求項３８】
前記記憶されたプロセッサ実行可能命令は、プロセッサに、
前記サービスの前記第1のデータストリームと前記サービスの前記第2のデータストリームが同じ構成パラメータを必要とするかどうかを判定することと、
前記サービスの前記第1のデータストリームと前記サービスの前記第2のデータストリームが同じ構成パラメータを必要とすると判定したことに応答して、前記サービスの前記第1のデータストリームと前記サービスの前記第2のデータストリームの両方に関する構成パラメータの共通のリストを生成することと、
前記サービスの前記第1のデータストリームと前記サービスの前記第2のデータストリームが異なる構成パラメータを必要とすると判定したことに応答して、前記サービスの前記第1のデータストリームに関する構成パラメータの第1のリストおよび前記サービスの前記第2のデータストリームに関する構成パラメータの第2のリストを生成することとをさらに含む動作を実行させるように構成される、請求項31に記載の非一時的プロセッサ可読記憶媒体。
【請求項３９】
前記記憶されたプロセッサ実行可能命令は、プロセッサに、前記サービスに関連するダイアリーファイルを生成することが、構成パラメータの前記共通のリストまたは構成パラメータの前記第1および第2のリストを組み込んだ、前記サービスに関連するダイアリーファイルを生成することを含むような動作を実行させるように構成される、請求項38に記載の非一時的プロセッサ可読記憶媒体。
【請求項４０】
前記記憶されたプロセッサ実行可能命令は、プロセッサに、構成パラメータの前記共通のリスト、構成パラメータの前記第1のリスト、および構成パラメータの前記第2のリストの各々が関連配信プロシージャ記述フラグメントであるような動作を実行させるように構成される、請求項38に記載の非一時的プロセッサ可読記憶媒体。
【請求項４１】
前記記憶されたプロセッサ実行可能命令は、プロセッサに、
前記サービスの各々のそれぞれのFLUTEセッションにおいて前記サービスの各々のそれぞれのFLUTEセッションに関連するセッション固有の更新メタデータフラグメントをブロードキャストすることをさらに含む動作を実行させるように構成される、請求項31に記載の非一時的プロセッサ可読記憶媒体。
【請求項４２】
前記記憶されたプロセッサ実行可能命令は、プロセッサに、
前記サービスの前記2つ以上のデータストリームのうちの任意のデータストリームを前記サービスのメインコンポーネントとして識別することと、
前記サービスのメインコンポーネントとして識別された前記サービスの前記2つ以上のデータストリームのうちの任意のデータストリームに関連する前記FLUTEセッションにおいて前記サービスに関連する更新メタデータフラグメントをブロードキャストすることとをさらに含む動作を実行させるように構成される、請求項31に記載の非一時的プロセッサ可読記憶媒体。
【請求項４３】
前記記憶されたプロセッサ実行可能命令は、プロセッサに、
前記サービスの前記2つ以上のデータストリームのうちの1つのデータストリームを前記サービスのメインコンポーネントとして識別することと、
前記識別されたメインコンポーネントの前記FLUTEセッションが前記サービスに関連する更新フラグメントを伝送することを示す前記ダイアリーファイル内のフラグをセットすることと、
前記識別されたメインコンポーネントの前記第1のFLUTEセッションにおいてのみ前記サービスに関連する前記更新フラグメントをブロードキャストすることとをさらに含む動作を実行させるように構成される、請求項31に記載の非一時的プロセッサ可読記憶媒体。
【請求項４４】
前記記憶されたプロセッサ実行可能命令は、プロセッサに、前記セルラーネットワークが、第3世代パートナーシッププロジェクト(「3GPP」)技術標準(「TS」)に従って確立されるような動作を実行させるように構成される、請求項31に記載の非一時的プロセッサ可読記憶媒体。
【請求項４５】
プロセッサ実行可能命令を記憶した非一時的プロセッサ可読記憶媒体であって、前記プロセッサ実行可能命令がプロセッサに、
2つ以上のデータストリームを含むサービスの第1のデータストリームが、第1のファイルデリバリオーバーユニディレクショナルトランスポート(「FLUTE」)セッションにおいてブロードキャストされるようにスケジューリングされ、前記サービスの第2のデータストリームが第2のFLUTEセッションにおいてブロードキャストされるようにスケジューリングされるように、前記サービスに関するスケジュールを生成するステップと、
前記サービスに関連するダイアリーファイルを生成するステップであって、前記ダイアリーファイルが、前記サービス、前記第1のFLUTEセッションおよび前記第1のデータストリーム中のデータのタイプ、前記第2のFLUTEセッションおよび前記第2のデータストリーム中のデータのタイプ、ならびに前記第1のFLUTEセッションおよび前記第2のFLUTEセッションに関するセッション記述の表示を含むステップと、
前記ダイアリーファイルを前記サーバから受信機デバイスに送るステップと、
セルラーネットワークにおいて前記スケジュールに従って前記サービスを前記第1のFLUTEセッションおよび前記第2のFLUTEセッションにおいてブロードキャストするステップと、
前記サービスの前記2つ以上のデータストリームのうちの何れかを前記サービスのメインコンポーネントとして識別するステップと、
前記サービスのメインコンポーネントとして識別された前記サービスの2つ以上のデータストリームのうち何れかに関連する前記FLUTEセッションにおいて、前記サービスに関連する更新メタデータフラグメントをブロードキャストするステップと、
を含む動作を実行させるように構成される非一時的プロセッサ可読記憶媒体。
【請求項４６】
受信機デバイスにおいて、2つ以上のデータストリームを含むサービスの第1のデータストリームが、第1のファイルデリバリオーバーユニディレクショナルトランスポート(「FLUTE」)セッションにおいてブロードキャストされるようにスケジューリングされ、前記サービスの第2のデータストリームが、第2のFLUTEセッションにおいてブロードキャストされるようにスケジューリングされるように、前記サービスに関連するダイアリーファイルを、受信機デバイスにおいて受信するステップであって、前記ダイアリーファイルが、前記サービス、前記第1のFLUTEセッションおよび前記第1のデータストリーム中のデータのタイプ、前記第2のFLUTEセッションおよび前記第2のデータストリーム中のデータのタイプ、ならびに前記第1のFLUTEセッションおよび前記第2のFLUTEセッションに関するセッション記述の表示を含み、前記サービスに関連する更新フラグメントを運搬する前記第1のFLUTEセッションを示す前記ダイアリーファイル内のフラグがセットされる、ステップと、
前記受信機デバイスにおいて、前記受信されたダイアリーファイルに基づいて、前記第1のデータストリーム中のデータの前記タイプおよび前記第2のデータストリーム中のデータの前記タイプを判定するステップと、
前記受信機デバイスにおいて、前記第1のFLUTEセッションまたは前記第2のFLUTEセッションのうちの少なくとも一方に参加して前記サービスの前記第1のデータストリームまたは前記第2のデータストリームの少なくとも一方を受信するステップと、
前記受信機デバイスにおいて、前記第1のデータストリーム中のデータの前記判定されたタイプに従って前記第1のデータストリームを出力することと前記第2のデータストリーム中のデータの前記判定されたタイプに従って前記第2のデータストリームを出力することの少なくとも一方によって、前記受信されたサービスをレンダリングするステップと、
前記受信機デバイスにおいて、前記ダイアリーファイル内のフラグがセットされているかどうかを判定するステップと、
前記受信機デバイスにおいて、前記ダイアリーファイル内の前記フラグがセットされていると判定したことに応答して、前記第1のデータストリームが消費のために選択されるかどうかにかかわらずに、前記第1のFLUTEセッションに参加して、前記サービスに関連する前記更新フラグメントを受信するステップと、
を含む方法。
【請求項４７】
前記受信機デバイスにおいて、前記第1のデータストリーム中のデータの前記判定されたタイプおよび前記第2のデータストリーム中のデータの前記判定されたタイプに基づいて、前記第1のFLUTEセッションまたは前記第2のFLUTEセッションの一方を選択するステップをさらに含み、
前記受信機デバイスにおいて、前記第1のFLUTEセッションまたは前記第2のFLUTEセッションの少なくとも一方に参加して前記サービスの前記第1のデータストリームまたは前記第2のデータストリームの少なくとも一方を受信するステップは、前記受信機デバイスにおいて、前記第1のFLUTEセッションまたは前記第2のFLUTEセッションの前記選択された一方のFLUTEセッションのみに参加して前記サービスの前記それぞれの第1のデータストリームまたは第2のデータストリームを受信し、前記第1のFLUTEセッションまたは前記第2のFLUTEセッションの前記選択されない一方を非アクティブ状態に維持するステップを含み、
前記受信機デバイスにおいて、前記第1のデータストリーム中のデータの前記判定されたタイプに従って前記第1のデータストリームを出力することと前記第2のデータストリーム中のデータの前記判定されたタイプに従って前記第2のデータストリームを出力することの少なくとも一方によって、前記受信されたサービスをレンダリングするステップは、前記受信機デバイスにおいて、前記第1のFLUTEセッションまたは前記第2のFLUTEセッションの選択された一方のデータストリームを出力することによって、前記受信されたサービスをレンダリングするステップを含む、請求項46に記載の方法。
【請求項４８】
前記ダイアリーファイルはサービス告知であり、
前記第1のFLUTEセッションおよび前記第2のFLUTEセッションに関する前記セッション記述は、
前記第1のFLUTEセッションに関連し、前記第1のデータストリーム中のデータの前記タイプを示す第1のセッション記述と、
前記第2のFLUTEセッションに関連し、前記第2のデータストリーム中のデータの前記タイプを示す第2のセッション記述とを含む、請求項46に記載の方法。
【請求項４９】
前記第1のデータストリーム中のデータの前記タイプは、前記第1のセッション記述中の第1のカテゴリー属性によって示され、前記第2のデータストリーム中のデータの前記タイプは、前記第2のセッション記述中の第2のカテゴリー属性によって示される、請求項48に記載の方法。
【請求項５０】
前記ダイアリーファイルは、前記第1のFLUTEセッションおよび前記第2のFLUTEセッションに関するトランスポートスケジュール情報を有するサービススケジュールフラグメントを含み、
前記第1のFLUTEセッションおよび前記第2のFLUTEセッションに関する前記セッション記述の前記表示は、前記第1のFLUTEセッションまたは前記第2のFLUTEセッションのいずれかでの送信を記述した前記トランスポートスケジュール情報のコンポーネントを識別する、請求項48に記載の方法。
【請求項５１】
前記第1のデータストリーム中のデータの前記タイプは、前記サービススケジュールフラグメントに示された第1のカテゴリー属性によって示され、前記第2のデータストリーム中のデータの前記タイプは、前記サービススケジュールフラグメントに示された第2のカテゴリー属性によって示される、請求項50に記載の方法。
【請求項５２】
前記第1のカテゴリー属性および前記第2のカテゴリー属性は、それぞれ前記第1のセッション記述および前記第2のセッション記述に含まれ、前記第1のカテゴリー属性および前記第2のカテゴリー属性は、前記第1のセッション記述および前記第2のセッション記述によって参照されるサービス発見ファイルに含まれ、または前記第1のカテゴリー属性および前記第2のカテゴリー属性は、前記第1のセッション記述および前記第2のセッション記述によって参照されるフィルタフラグメント中のフィルタリング規則に含まれる、請求項51に記載の方法。
【請求項５３】
前記第1のFLUTEセッションおよび前記第2のFLUTEセッションに関する前記セッション記述は、
前記第1のFLUTEセッションに関連する第1のセッション記述ユニフォームリソース識別子(「URI」)、第1の送信元インターネットプロトコル(「IP」)アドレス、または第1のトランスポートセッション識別子(「TSI」)の表示と、
前記第2のFLUTEセッションに関連する第2のセッション記述URI、第2の送信元IPアドレス、または第2のTSIの表示とを含む、請求項50に記載の方法。
【請求項５４】
前記サービスに関連する前記ダイアリーファイルは、構成パラメータの共通のリストまたは構成パラメータの第1のリストおよび第2のリストを含み、
構成パラメータの前記共通のリスト、構成パラメータの前記第1のリスト、および構成パラメータの前記第2のリストの各々は、関連配信プロシージャ記述フラグメントである、請求項46に記載の方法。
【請求項５５】
前記ダイアリーファイルはユーザサービス記述であり、前記更新フラグメントは、関連配信プロシージャ記述フラグメント、スケジュールフラグメント、またはメディアプレゼンテーション記述フラグメントである、請求項46に記載の方法。
【請求項５６】
前記受信機デバイスにおいて、前記第1のFLUTEセッションおよび前記第2のFLUTEセッションに関するFLUTEセッションIDを含む前記サービスに関する統合受信レポートを生成するステップをさらに含む、請求項46に記載の方法。
【請求項５７】
ネットワークインターフェースと、
前記ネットワークインターフェースに接続されたプロセッサであって、動作を実行するためのプロセッサ実行可能命令を有するように構成されたプロセッサとを備え、前記動作が、
前記ネットワークインターフェースを介して、2つ以上のデータストリームを含むサービスの第1のデータストリームが、第1のファイルデリバリオーバーユニディレクショナルトランスポート(「FLUTE」)セッションにおいてブロードキャストされるようにスケジューリングされ、前記サービスの第2のデータストリームが、第2のFLUTEセッションにおいてブロードキャストされるようにスケジューリングされるように、前記サービスに関連するダイアリーファイルを、受信機デバイスにおいて受信するステップであって、前記ダイアリーファイルが、前記サービス、前記第1のFLUTEセッションおよび前記第1のデータストリーム中のデータのタイプ、前記第2のFLUTEセッションおよび前記第2のデータストリーム中のデータのタイプ、ならびに前記第1のFLUTEセッションおよび前記第2のFLUTEセッションに関するセッション記述の表示を含み、前記サービスに関連する更新フラグメントを運搬する前記第1のFLUTEセッションを示す前記ダイアリーファイル内のフラグがセットされる、ステップと、
前記受信されたダイアリーファイルに基づいて、前記第1のデータストリーム中のデータの前記タイプおよび前記第2のデータストリーム中のデータの前記タイプを判定するステップと、
前記ネットワークインターフェースを介して、前記第1のFLUTEセッションまたは前記第2のFLUTEセッションのうちの少なくとも一方に参加して前記サービスの前記第1のデータストリームまたは前記第2のデータストリームの少なくとも一方を受信するステップと、
前記第1のデータストリーム中のデータの前記判定されたタイプに従って前記第1のデータストリームを出力することと前記第2のデータストリーム中のデータの前記判定されたタイプに従って前記第2のデータストリームを出力することの少なくとも一方によって、前記受信されたサービスをレンダリングするステップと、
前記ダイアリーファイル内のフラグがセットされているかどうかを判定するステップと、
前記ネットワークインターフェースを介して、前記ダイアリーファイル内の前記フラグがセットされていると判定したことに応答して、前記第1のデータストリームが消費のために選択されるかどうかにかかわらずに、前記第1のFLUTEセッションに参加して、前記サービスに関連する前記更新フラグメントを受信するステップと、
を含む受信機デバイス。
【請求項５８】
前記プロセッサは、
前記第1のデータストリーム中のデータの前記判定されたタイプおよび前記第2のデータストリーム中のデータの前記判定されたタイプに基づいて、前記第1のFLUTEセッションまたは前記第2のFLUTEセッションの一方を選択するステップと、
前記ネットワークインターフェースを介して、前記第1のFLUTEセッションまたは前記第2のFLUTEセッションの少なくとも一方に参加して前記サービスの前記第1のデータストリームまたは前記第2のデータストリームの少なくとも一方を受信することが、前記ネットワークインターフェースを介して、前記第1のFLUTEセッションまたは前記第2のFLUTEセッションの前記選択された一方のFLUTEセッションのみに参加して前記サービスの前記それぞれの第1のデータストリームまたは第2のデータストリームを受信し、前記第1のFLUTEセッションまたは前記第2のFLUTEセッションの前記選択されない一方を非アクティブ状態に維持するステップと、
をさらに含む動作を実行するためのプロセッサ実行可能命令を有するように構成され、
前記第1のデータストリーム中のデータの前記判定されたタイプに従って前記第1のデータストリームを出力することと前記第2のデータストリーム中のデータの前記判定されたタイプに従って前記第2のデータストリームを出力することの少なくとも一方によって、前記受信されたサービスをレンダリングすることが、前記第1のFLUTEセッションまたは前記第2のFLUTEセッションの選択された一方のデータストリームを出力することによって、前記受信されたサービスをレンダリングすることを含む、
請求項57に記載の受信機デバイス。
【請求項５９】
前記ダイアリーファイルはサービス告知であり、
前記第1のFLUTEセッションおよび前記第2のFLUTEセッションに関する前記セッション記述は、
前記第1のFLUTEセッションに関連し、前記第1のデータストリーム中のデータの前記タイプを示す第1のセッション記述と、
前記第2のFLUTEセッションに関連し、前記第2のデータストリーム中のデータの前記タイプを示す第2のセッション記述とを含む、請求項57に記載の受信機デバイス。
【請求項６０】
前記第1のデータストリーム中のデータの前記タイプは、前記第1のセッション記述中の第1のカテゴリー属性によって示され、前記第2のデータストリーム中のデータの前記タイプは、前記第2のセッション記述中の第2のカテゴリー属性によって示される、請求項59に記載の受信機デバイス。
【請求項６１】
前記ダイアリーファイルは、前記第1のFLUTEセッションおよび前記第2のFLUTEセッションに関するトランスポートスケジュール情報を有するサービススケジュールフラグメントを含み、
前記第1のFLUTEセッションおよび前記第2のFLUTEセッションに関する前記セッション記述の前記表示は、前記第1のFLUTEセッションまたは前記第2のFLUTEセッションのいずれかでの送信を記述した前記トランスポートスケジュール情報のコンポーネントを識別する、請求項59に記載の受信機デバイス。
【請求項６２】
前記第1のデータストリーム中のデータの前記タイプは、前記サービススケジュールフラグメントに示された第1のカテゴリー属性によって示され、前記第2のデータストリーム中のデータの前記タイプは、前記サービススケジュールフラグメントに示された第2のカテゴリー属性によって示される、請求項61に記載の受信機デバイス。
【請求項６３】
前記第1のカテゴリー属性および前記第2のカテゴリー属性は、それぞれ前記第1のセッション記述および前記第2のセッション記述に含まれ、前記第1のカテゴリー属性および前記第2のカテゴリー属性は、前記第1のセッション記述および前記第2のセッション記述によって参照されるサービス発見ファイルに含まれ、または前記第1のカテゴリー属性および前記第2のカテゴリー属性は、前記第1のセッション記述および前記第2のセッション記述によって参照されるフィルタフラグメント中のフィルタリング規則に含まれる、請求項62に記載の受信機デバイス。
【請求項６４】
前記第1のFLUTEセッションおよび前記第2のFLUTEセッションに関する前記セッション記述は、
前記第1のFLUTEセッションに関連する第1のセッション記述ユニフォームリソース識別子(「URI」)、第1の送信元インターネットプロトコル(「IP」)アドレス、または第1のトランスポートセッション識別子(「TSI」)の表示と、
前記第2のFLUTEセッションに関連する第2のセッション記述URI、第2の送信元IPアドレス、または第2のTSIの表示とを含む、請求項61に記載の受信機デバイス。
【請求項６５】
前記サービスに関連する前記ダイアリーファイルは、構成パラメータの共通のリストまたは構成パラメータの第1のリストおよび第2のリストを含み、
構成パラメータの前記共通のリスト、構成パラメータの前記第1のリスト、および構成パラメータの前記第2のリストの各々は、関連配信プロシージャ記述フラグメントである、請求項57に記載の受信機デバイス。
【請求項６６】
前記ダイアリーファイルはユーザサービス記述であり、前記更新フラグメントは、関連配信プロシージャ記述フラグメント、スケジュールフラグメント、またはメディアプレゼンテーション記述フラグメントである、請求項57に記載の受信機デバイス。
【請求項６７】
前記プロセッサは、前記第1のFLUTEセッションおよび前記第2のFLUTEセッションに関するFLUTEセッションIDを含む前記サービスに関する統合受信レポートを生成することをさらに含む動作を実行するためのプロセッサ実行可能命令を有するように構成される、請求項57に記載の受信機デバイス。
【請求項６８】
プロセッサ実行可能命令を記憶した非一時的プロセッサ可読記憶媒体であって、前記プロセッサ実行可能命令がプロセッサに、
2つ以上のデータストリームを含むサービスの第1のデータストリームが、第1のファイルデリバリオーバーユニディレクショナルトランスポート(「FLUTE」)セッションにおいてブロードキャストされるようにスケジューリングされ、前記サービスの第2のデータストリームが、第2のFLUTEセッションにおいてブロードキャストされるようにスケジューリングされるように、前記サービスに関連するダイアリーファイルを、受信機デバイスにおいて受信するステップであって、前記ダイアリーファイルが、前記サービス、前記第1のFLUTEセッションおよび前記第1のデータストリーム中のデータのタイプ、前記第2のFLUTEセッションおよび前記第2のデータストリーム中のデータのタイプ、ならびに前記第1のFLUTEセッションおよび前記第2のFLUTEセッションに関するセッション記述の表示を含み、前記サービスに関連する更新フラグメントを運搬する前記第1のFLUTEセッションを示す前記ダイアリーファイル内のフラグがセットされる、ステップと、
前記受信機デバイスにおいて、前記受信されたダイアリーファイルに基づいて、前記第1のデータストリーム中のデータの前記タイプおよび前記第2のデータストリーム中のデータの前記タイプを判定するステップと、
前記第1のFLUTEセッションまたは前記第2のFLUTEセッションのうちの少なくとも一方に参加して前記サービスの前記第1のデータストリームまたは前記第2のデータストリームの少なくとも一方を受信するステップと、
前記第1のデータストリーム中のデータの前記判定されたタイプに従って前記第1のデータストリームを出力することと前記第2のデータストリーム中のデータの前記判定されたタイプに従って前記第2のデータストリームを出力することの少なくとも一方によって、前記受信されたサービスをレンダリングするステップと、
前記ダイアリーファイル内のフラグがセットされているかどうかを判定するステップと、
前記ダイアリーファイル内の前記フラグがセットされていると判定したことに応答して、前記第1のデータストリームが消費のために選択されるかどうかにかかわらずに、前記第1のFLUTEセッションに参加して、前記サービスに関連する前記更新フラグメントを受信するステップと、
を含む動作を実行させるように構成される非一時的プロセッサ可読記憶媒体。
【請求項６９】
前記記憶されたプロセッサ実行可能命令は、プロセッサに、
前記第1のデータストリーム中のデータの前記判定されたタイプおよび前記第2のデータストリーム中のデータの前記判定されたタイプに基づいて、前記第1のFLUTEセッションまたは前記第2のFLUTEセッションの一方を選択することをさらに含む動作を実行させるように構成され、
前記記憶されたプロセッサ実行可能命令は、プロセッサに、
前記第1のFLUTEセッションまたは前記第2のFLUTEセッションの少なくとも一方に参加して前記サービスの前記第1のデータストリームまたは前記第2のデータストリームの少なくとも一方を受信することが、前記第1のFLUTEセッションまたは前記第2のFLUTEセッションの前記選択された一方のFLUTEセッションのみに参加して前記サービスの前記それぞれの第1のデータストリームまたは第2のデータストリームを受信し、前記第1のFLUTEセッションまたは前記第2のFLUTEセッションの前記選択されない一方を非アクティブ状態に維持することを含み、
前記第1のデータストリーム中のデータの前記判定されたタイプに従って前記第1のデータストリームを出力することと前記第2のデータストリーム中のデータの前記判定されたタイプに従って前記第2のデータストリームを出力することの少なくとも一方によって、前記受信されたサービスをレンダリングすることが、前記第1のFLUTEセッションまたは前記第2のFLUTEセッションの選択された一方のデータストリームを出力することによって、前記受信されたサービスをレンダリングすることを含むような動作を実行させるように構成される、請求項68に記載の非一時的プロセッサ可読記憶媒体。
【請求項７０】
前記記憶されたプロセッサ実行可能命令は、プロセッサに、
前記ダイアリーファイルがサービス告知であり、
前記第1のFLUTEセッションおよび前記第2のFLUTEセッションに関する前記セッション記述が、
前記第1のFLUTEセッションに関連し、前記第1のデータストリーム中のデータの前記タイプを示す第1のセッション記述と、
前記第2のFLUTEセッションに関連し、前記第2のデータストリーム中のデータの前記タイプを示す第2のセッション記述とを含むような動作を実行させるように構成される、請求項68に記載の非一時的プロセッサ可読記憶媒体。
【請求項７１】
前記記憶されたプロセッサ実行可能命令は、プロセッサに、前記第1のデータストリーム中のデータの前記タイプが、前記第1のセッション記述中の第1のカテゴリー属性によって示され、前記第2のデータストリーム中のデータの前記タイプが、前記第2のセッション記述中の第2のカテゴリー属性によって示されるような動作を実行させるように構成される、請求項70に記載の非一時的プロセッサ可読記憶媒体。
【請求項７２】
前記記憶されたプロセッサ実行可能命令は、プロセッサに、
前記ダイアリーファイルが、前記第1のFLUTEセッションおよび前記第2のFLUTEセッションに関するトランスポートスケジュール情報を有するサービススケジュールフラグメントを含み、
前記第1のFLUTEセッションおよび前記第2のFLUTEセッションに関する前記セッション記述の前記表示が、前記第1のFLUTEセッションまたは前記第2のFLUTEセッションのいずれかでの送信を記述した前記トランスポートスケジュール情報のコンポーネントを識別するような動作を実行させるように構成される、請求項70に記載の非一時的プロセッサ可読記憶媒体。
【請求項７３】
前記記憶されたプロセッサ実行可能命令は、プロセッサに、前記第1のデータストリーム中のデータの前記タイプが、前記サービススケジュールフラグメントにおいて示される第1のカテゴリー属性によって示され、前記第2のデータストリーム中のデータの前記タイプが、前記サービススケジュールフラグメントにおいて示される第2のカテゴリー属性によって示されるような動作を実行させるように構成される、請求項72に記載の非一時的プロセッサ可読記憶媒体。
【請求項７４】
前記記憶されたプロセッサ実行可能命令は、プロセッサに、前記第1のカテゴリー属性および前記第2のカテゴリー属性が、それぞれ前記第1のセッション記述および前記第2のセッション記述においてコード化され、前記第1のカテゴリー属性および前記第2のカテゴリー属性が、前記第1のセッション記述および前記第2のセッション記述によって参照されるサービス発見ファイルにおいてコード化され、または前記第1のカテゴリー属性および前記第2のカテゴリー属性は、前記第1のセッション記述および前記第2のセッション記述によって参照されるフィルタフラグメント中のフィルタリング規則においてコード化されるような動作を実行させるように構成される、請求項73に記載の非一時的プロセッサ可読記憶媒体。
【請求項７５】
前記記憶されたプロセッサ実行可能命令は、プロセッサに、前記第1のFLUTEセッションおよび前記第2のFLUTEセッションに関する前記セッション記述の前記表示が、
前記第1のFLUTEセッションに関連する第1のセッション記述ユニフォームリソース識別子(「URI」)、第1の送信元インターネットプロトコル(「IP」)アドレス、または第1のトランスポートセッション識別子(「TSI」)の表示と、
前記第2のFLUTEセッションに関連する第2のセッション記述URI、第2の送信元IPアドレス、または第2のTSIの表示とを含むような動作を実行させるように構成される、請求項72に記載の非一時的プロセッサ可読記憶媒体。
【請求項７６】
前記記憶されたプロセッサ実行可能命令は、プロセッサに、
前記サービスに関連する前記ダイアリーファイルが、構成パラメータの共通のリストまたは構成パラメータの第1のリストおよび第2のリストを含み、
構成パラメータの前記共通のリスト、構成パラメータの前記第1のリスト、および構成パラメータの前記第2のリストの各々が、関連配信プロシージャ記述フラグメントであるような動作を実行させるように構成される、請求項68に記載の非一時的プロセッサ可読記憶媒体。
【請求項７７】
前記記憶されたプロセッサ実行可能命令は、プロセッサに、前記ダイアリーファイルがユーザサービス記述であり、前記更新フラグメントが、関連配信プロシージャ記述フラグメント、スケジュールフラグメント、またはメディアプレゼンテーション記述フラグメントであるような動作を実行させるように構成される、請求項68に記載の非一時的プロセッサ可読記憶媒体。
【請求項７８】
前記記憶されたプロセッサ実行可能命令は、プロセッサに、前記第1のFLUTEセッションおよび前記第2のFLUTEセッションに関するFLUTEセッションIDを含む前記サービスに関する統合受信レポートを生成することをさらに含む動作を実行させるように構成される、請求項68に記載の非一時的プロセッサ可読記憶媒体。
【請求項７９】
受信機デバイスであって、
第1のネットワークインターフェースと、
前記第1のネットワークインターフェースに接続された受信機デバイスプロセッサとを備える受信機デバイスと、
サーバであって、
第2のネットワークインターフェースと、
前記第2のネットワークインターフェースに接続されたサーバプロセッサであって、動作を実行するためのプロセッサ実行可能命令を有するように構成され、前記動作が、
2つ以上のデータストリームを含むサービスの第1のデータストリームが、ファイル配信情報を提供しファイルオブジェクトの送信を可能にするプロトコルの第1のトランスポートセッションにおいてブロードキャストされるようにスケジューリングされ、前記サービスの第2のデータストリームが前記プロトコルの第2のトランスポートセッションにおいてブロードキャストされるようにスケジューリングされるように、前記サービスに関するスケジュールを生成することと、
前記サービスに関連するダイアリーファイルを生成することであって、前記ダイアリーファイルが、前記サービス、前記第1のトランスポートセッションおよび前記第1のデータストリーム中のデータのタイプ、前記第2のトランスポートセッションおよび前記第2のデータストリーム中のデータのタイプ、ならびに前記第1のトランスポートセッションおよび前記第2のトランスポートセッションに関するセッション記述の表示を含むことと、
前記サービスの前記2つ以上のデータストリームのうちの1つを前記サービスのメインコンポーネントとして識別することと、
前記識別されたメインコンポーネントをブロードキャストしている前記第1のトランスポートセッションまたは前記第2のトランスポートセッションのうち1つが前記サービスに関連する更新フラグメントを運搬することを示す前記ダイアリーファイル内のフラグをセットすることと、
前記ダイアリーファイルを前記第2のネットワークインターフェースを介して前記受信機デバイスに送ることと、
セルラーネットワークにおいて前記スケジュールに従って前記サービスを前記第2のネットワークインターフェースを介して前記第1のトランスポートセッションおよび第2のトランスポートセッションにおいてブロードキャストすることとを含むサーバとを備え、
前記受信機デバイスプロセッサは、動作を実行するためのプロセッサ実行可能命令を有するように構成され、前記動作が、
前記ダイアリーファイルを前記第1のネットワークインターフェースを介して受信することと、
前記受信されたダイアリーファイルに基づいて、前記第1のデータストリーム中のデータの前記タイプおよび前記第2のデータストリーム中のデータの前記タイプを判定することと、
前記第1のトランスポートセッションまたは前記第2のトランスポートセッションのうちの少なくとも一方に参加して前記サービスの前記第1のデータストリームまたは前記第2のデータストリームの少なくとも一方を受信することと、
前記第1のデータストリーム中のデータの前記判定されたタイプに従って前記第1のデータストリームを出力することと前記第2のデータストリーム中のデータの前記判定されたタイプに従って前記第2のデータストリームを出力することの少なくとも一方によって、前記受信されたサービスをレンダリングすることとを含む動作を含むシステム。
【請求項８０】
ファイル配信情報を提供しファイルオブジェクトの送信を可能にする前記プロトコルの前記第1のトランスポートセッションは、第1のファイルデリバリオーバーユニディレクショナルトランスポート(「FLUTE」)セッションであり、
前記プロトコルの前記第2のトランスポートセッションは、第2のFLUTEセッションである、請求項79に記載のシステム。